(57)【特許請求の範囲】
【請求項１】
ハーベスタ後背部のコンベア出口と回転揚送コンベアへの受渡しガイド側板の隙間調整機構であって、ハーベスタ後背部のフレームに固定され、コンベア出口側面に向けた下部縁辺に沿って複数の取付ピン孔を設けたガイド側板と、ガイド側板の前記取付ピン孔に対応して取付ける複数の支軸を有する隙間調整板とを具備し、回動支点として設定した隙間調整板の支軸に対応するガイド側板の取付ピン孔をコンベア対向縁辺近傍から斜め上方に向けた長孔に形成するとともに、隙間調整板の他の支軸に対応するガイド側板の各々の取付ピン孔を、隙間調整板の前記回動支軸を中心として回動したときに隙間調整板の他の支軸を所定範囲にわたって回動可能に受け入れる回動用長孔部とこの回動用長孔部から前記支点ピン孔の長孔と平行に斜め上方へ向けた平行長孔部とを連通させた屈曲長孔に形成したことを特徴とするハーベスタ後背部のコンベア出口とガイド側板間の隙間調整機構
【発明の詳細な説明】
【技術分野】
【０００１】
本発明はビートハーベスタなどの動力収穫機において、後背部に臨ませたコンベア排出口と環状揚送コンベア間にガイド側板と隙間調整板を介在させて隙間を調整する機構に関する。
【背景技術】
【０００２】
図１０に示すように、自走あるいは牽引により走行しながらビートなどの根菜類を掘り起こして収穫機の機台上方のタンクに積載するハーベスタ１は、掘り起こした作物（ビート）２ａをチェーンコンベアあるいはベルトコンベア３で後部へ搬送し、後背部に設けた回転揚送コンベア４に受け渡して上方から送りコンベア５を介してタンク６へ投入するようになっている。
この種のハーベスタ１は図９に示すように、ハーベスタ１後背部のコンベア出口７と回転揚送コンベア４の環状体の間に、搬送されてくるビート２ａをコンベア出口７から回転揚送コンベア４へ受け渡すガイド側板８が後部フレーム９に固定されている。
【０００３】
ビートの収穫の際は前処理として圃場においてビート２ａ本体と茎葉２ｂを切り離してあるが、コンベア３にはこれらが混在して搬送されてくる。
このため、コンベア出口７とガイド側板８の間に隙間調整板１０を設け、この隙間から茎葉２ｂその他の不要物（符号は２ａに包括）を分離して揚送するようにしているが、茎葉はビートの出来、不出来により影響を受け、作の出来がよいと混入する茎葉の量も多くなり、コンベア出口７付近の隙間に詰まり易くなる。他方、隙間が広すぎると小型のビートは隙間からこぼれてしまう。
このため、コンベア出口７とガイド側板８の下端周辺の間の隙間を調整するために、ガイド側板８の下方に向けてゴム板などの可撓材からなる隙間調整板１０を変位可能に配設しているが、従来の隙間調整は図６〜８に示すように、ガイド側板８の下部に複数のピン孔９ａ〜９ｎを形成するとともに、図７、８のように、隙間調整板１０にガイド側板８のこれらピン孔９ａ〜９ｎに相対応する複数の支軸１１ａ〜１１ｎを設け、隙間調整板１０の回動中心支軸１１ａに対応するガイド側板８のピン孔９ａを丸孔に形成し、他方、ガイド側板８の他のピン孔９ｂ〜９ｎを、支点支軸１１ａを中心に回動する隙間調整板１０の他の支軸１１ｂ〜１１ｎを変位可能に受け入れる長孔に形成している。
【発明の開示】
【発明が解決しようとする課題】
【０００４】
従来の上記隙間調整機構は、隙間調整板１０の回動中心支軸１１ａを軸着するガイド側板８のピン孔９ａを丸孔に形成しているため、隙間調整板１０は回動方向へのみ変位できるようになしている。このため隙間調整板１０による隙間調整は、支点支軸１１ａを中心とする下方縁辺の回動変位に限られる。
従って、コンベア出口７と隙間調整板１０上部の隙間が調整できないだけでなく、隙間調整板１０全体をコンベア出口７に対して平行に離隔・接近させる方向の隙間の調整は不可能であるなど、隙間調整が狭い範囲に制約されていた。
【０００５】
本願発明はガイド側板８に対して隙間調整板１０の一つの支軸をを中心にして回動変位させることにより隙間調整板１０下方縁辺の隙間を調整することができるとともに、隙間調整板１０全体をコンベア出口７に対して離隔・接近方向へ平行移動させて隙間を異方向へ且つ広い選択範囲に調整することができる隙間調整機構を提供することにある。
【課題を解決するための手段】
【０００６】
上記の目的を達成するために、本発明は、ハーベスタ後背部のコンベア出口と回転揚送コンベアへの受渡しガイド側板の隙間調整機構であって、ハーベスタ後背部のフレームに固定され、コンベア出口側面に向けた下部縁辺に沿って複数の取付ピン孔を設けたガイド側板と、ガイド側板の前記取付ピン孔に対応して取付ける複数の支軸を有する隙間調整板とを具備し、回動支点として設定した隙間調整板の支軸に対応するガイド側板の取付ピン孔をコンベア対向縁辺近傍から斜め上方に向けた長孔に形成するとともに、隙間調整板の他の支軸に対応するガイド側板の各々の取付ピン孔を、隙間調整板の前記回動支軸を中心として回動したときに隙間調整板の他の支軸を所定範囲にわたって回動可能に受け入れる回動用長孔部とこの回動用長孔部から前記支点ピン孔の長孔と平行に斜め上方へ向けた平行長孔部とを連通させた屈曲長孔に形成したことを特徴とする。
【発明の効果】
【０００７】
本発明は上記構成になるので、隙間調整板１０の回動支軸１１ａをガイド側板８の支軸係着用長孔２０ａ内の基端部に回動可能に軸着すると、隙間調整板１０の他の支軸１１ｂ〜１１ｎはガイド側板８の対応する屈曲長孔２０ｂ〜２０ｎの回動用長孔部Ｘに嵌合され、任意の回動位置で固定することにより、隙間調整板１０は従来と同様に回動支軸１１ａを中心として下端縁辺の回動変位による隙間調整が可能になる。
他方、隙間調整板１０の回動支軸１１ａをガイド側板８の支軸係着用長孔２０ａに沿って移動させながら隙間調整板１０の他の支軸１１ｂ〜１１ｎをガイド側板８の対応する屈曲長孔２０ｂ〜２０ｎの平行長孔部Ｙに沿って平行移動させると、隙間調整板１０はガイド側板８の支軸係着用長孔２０ａ及び屈曲長孔２０ｂ〜２０ｎの平行長孔部Ｙに沿ってコンベア出口７に対して離隔方向へ全体として平行移動し、その移動距離に応じてコンベア出口７と隙間調整板１０の隙間を任意に拡大又は縮小させることができる。
かくして、隙間調整板１０は回動支軸１１ａを中心とする回動方向の変位による隙間調整に加え、平行移動の変位による隙間調整を連続的に操作できることになり、隙間調整範囲及び方向を多様に選択することが可能になる。
【発明を実施するための最良の形態】
【０００８】
以下、本発明の好ましい実施態様を添付の図１〜図５に基づいて説明する。なお、図１〜図５において、前記図６〜図１０と同一符号は同一の部材を示している。
前述した図６〜図１０と同様に、コンベア３はそのコンベア出口７をハーベスタ後背部の横方向へ向けて開口させ、コンベア３で搬送されてきたビート２ａを、その外側を回動する環状の回転揚送コンベア４に受け渡すようになっている。
【０００９】
ガイド側板８は外側の円弧状縁辺１２を回転揚送コンベア４の内側円形縁辺に接近させ、横向きの前記コンベア出口７の前方においてコンベア３の外側面と略平行となるようにしてハーベスタ後背部のフレームに固定されている。
ガイド側板８の下端縁辺には隙間調整板１０が接続され、ガイド側板８と隙間調整板１０によりコンベア出口７から排出されるビート２ａが外に放出されることなく回転揚送コンベア４に送り込まれるようになっている。
前記隙間調整板１０は、ガイド側板８とともにコンベア出口７から放出されるビート２ａを回転揚送コンベア４へ案内するものであるが、ビート２ａが金属プレートなどの硬い材質のガイド側板８に衝突して傷つくのを防止する役割をも担っており、このため、ゴム板などの軟らかな材質が使用される。
隙間調整板１０は、ビート２ａとともに搬送されてきた茎葉２ｂなどの不要物を下方へ落下させ、ビート２ａを回転揚送コンベア４へ投入するように所望の隙間を介して取付けられているが、この隙間は茎葉２ｂを詰まらせずに効率よく分離させ、しかも、小型のビートが飛び出ないように設定する必要から、前記隙間調整板１０は複数の支軸とこの支軸に対応するガイド側板８のピン孔を介して変位可能に取付けられ、ガイド側板８に対する隙間調整板１０の変位により、隙間が調整されるようにしてある。
【００１０】
隙間調整板１０は上部板面に複数の支軸１１ａ〜１１ｎが取付けられるようになっており、この構成は従来技術と変わるところはない。また、この支軸１１ａ〜１１ｎは隙間調整板１０に予め取付けていてもよく、また、後述の図５で説明するように、ガイド側板８に結合する際にピン孔１３を通してガイド側板８にボルト１４で結合される構造でもよい。
【００１１】
他方、前記隙間調整板１０を下方へ向けて接続するガイド側板８は、隙間調整板１０の前記複数の支軸１１ａ〜１１ｎに対応する複数の取付ピン孔を具備しているが、本発明によるガイド側板８のこれらピン孔は従来のピン孔９ａ〜９ｎとは形状及び機能が大いに異なっている。
まず、隙間調整板１０の回動中心となる支軸１１ａに対応するピン孔は、隙間調整板１０の下部円弧状縁辺１２が回転揚送コンベア４の内側縁辺に沿って図の右方へ全体移動できるような右肩上がりの長孔２０ａに形成されている。
【００１２】
他方、隙間調整板１０の他の支軸１１ｂ〜１１ｎに対応するガイド側板８の他のピン孔（２０ｂ〜２０ｎ）は、隙間調整板１０の前記回動支軸１１ａをガイド側板８の前記長孔２０ａの基部（底部）に当接させてここを中心支軸として回動したときに隙間調整板１０の他の支軸１１ｂ〜１１ｎを所定範囲にわたって回動可能に受け入れる回動用長孔部Ｘと、この回動用長孔部Ｘから前記支点ピン孔の長孔２０ａと平行に斜め上方へ向けた平行長孔部Ｙを連通させた屈曲長孔２０ｂ〜２０ｎに形成されている。
すなわち、ガイド側板８の屈曲長孔２０ｂ〜２０ｎは前記基点となる長孔２０ａの基部を中心とする同心円方向の回動用長孔部Ｘと、前記基点長孔２０ａと平行な平行長孔部Ｙを連通させた略くの字形を呈しているが各屈曲長孔２０ｂ〜２０ｎのくの字形は一様ではない。
【００１３】
上記構成により、図２に示すように、隙間調整板１０の支軸１１ａを中心としてガイド側板８の長孔２０ａの基部に係合させた状態で、隙間調整板１０の各支軸１１ａ〜１１ｎを図２から図３の位置へ回動させて各屈曲長孔２０ｂ〜２０ｎの回動用長孔部Ｘの任意の位置にボルト等で固定することにより、従来同様の、隙間調整板１０の回動による隙間調整が行われる。
他方、本発明では図４に示すように、隙間調整板１０の支軸１１ａをガイド側板８の長孔２０ａに合わせ、他の支軸１１ｂ〜１１ｎをガイド側板８の対応する各屈曲長孔２０ｂ〜２０ｎの平行長孔部Ｙに沿って隙間調整板１０全体を斜め上方へ平行移動させることにより、平行長孔部Ｙ内の任意の平行変位が可能になる。
【００１４】
図５は本発明によるガイド側板８と隙間調整板１０の組付け図の一例を示すもので、この実施例では、隙間調整板１０の複数のピン孔１３に回り止めプレート１５を介して支軸１１ａ〜１１ｎに通し、支軸１１ａの先端側をガイド側板８の前記基点長孔２０ａに挿通するとともに、隙間調整板１０の他の支軸１１ｂ〜１１ｎを対応するガイド側板８の屈曲長孔２０ｂ〜２０ｎに挿通して各支軸１１ａ〜１１ｎにボルト１４を嵌め、ガイド側板８と隙間調整板１０を一体に結合する。
隙間調整板１０はボルト１４を緩めて、支軸１１ａ〜１１ｎをガイド側板８の長孔２０ａ、屈曲長孔２０ｂ〜２０ｎの任意の位置に変位させることにより回動方向及び平行方向へ移動させ、広い範囲で隙間調整を行う。
【産業上の利用可能性】
【００１５】
本発明は、コンベア出口前方のガイド側板と隙間調整板を支軸と前記長孔及び屈曲長孔を介して変位可能に連結し、これにより、回動方向及び平行方向へ移動させて任意決めすることにより隙間を広い範囲で調整できるのでハーベスタの付加価値が増大する。
【図面の簡単な説明】
【００１６】
【図１】本発明による隙間調整機構の構成図
【図２】本発明による隙間調整機構の変位構成図
【図３】本発明による隙間調整機構の変位構成図
【図４】本発明による隙間調整機構に使用されるガイド側板側面図
【図５】本発明による隙間調整機構の組付け説明図
【図６】従来例による隙間調整機構に使用されるガイド側板側面図
【図７】従来例による隙間調整機構の構成図
【図８】従来例による隙間調整機構の変位構成図
【図９】ビートハーベスタの背面図
【図１０】ビートハーベスタの側面図
【符号の説明】
【００１７】
１…ハーベスタ
２ａ…ビート
２ｂ…茎葉
３…ベルトコンベア
４…回転揚送コンベア
５…送りコンベア
６…タンク
７…コンベア出口
８…ガイド側板
９…後部フレーム
９ａ〜９ｎ…ピン孔
１０…隙間調整板
１１ａ〜１１ｎ…支軸
１２…円弧状縁辺
１３…ピン孔
１４…ボルト
１５…回り止めプレート
２０ａ…基点長孔
２０ｂ〜２０ｎ…屈曲長孔
Ｘ…回動用長孔部
Ｙ…平行長孔部
【図１】
0004489123.tif 000002
【図２】
0004489123.tif 000003
【図３】
0004489123.tif 000004
【図４】
0004489123.tif 000005
【図５】
0004489123.tif 000006
【図６】
0004489123.tif 000007
【図７】
0004489123.tif 000008
【図８】
0004489123.tif 000009
【図９】
0004489123.tif 000010
【図１０】
0004489123.tif 000011